(57)【要約】      （修正有）【課題】信仰“しゃもじ”、縁起もの、開運もの、福運もの、祈願もの等の飾り具等として、誰でも手軽に購入して、携帯電話に、鍵ホルダーに、お財布に、かばん等々にストラップで装着して飾って手元に置き、表示絵による宮島の思い出を大切にすること、及び福運をまねくとされる文字により心が安らかに癒される宮島杓子のレプリカを提供する。【解決手段】しゃもじ本体１００の正面１０１に宮島の鳥居１０４と鹿１０５と紅葉１０６の組み合わせ表示絵を配置し、背面に福運又は開運又は祈願をまねくとされる文字を一つ以上又はマグネットを配置する。しゃもじ本体１００に鈴付きストラップ２００又はキーホルダーを連結する。福運又は開運、祈願をまねくとされる文字は、福運、開運、祈願、合格、健康、笑顔、幸福、元気、感謝、必勝、長寿、絆、金運、宮島、交通安全、家内安全、安産、商売繁盛、無災害、厄除けの何れか一つ以上とする。【選択図】図１−１
0003201017.tif 000002
【実用新案登録請求の範囲】
【請求項１】
しゃもじ本体の正面に宮島の鳥居と鹿と紅葉の組み合わせ表示絵を配置し、背面に福運又は開運又は祈願をまねくとされる文字を一つ以上又はマグネットを配置したことを特徴とする宮島杓子のレプリカ。
【請求項２】
前記しゃもじ本体の柄に鈴付きストラップ又はキーホルダーを連結したことを特徴とする請求項１に記載の宮島杓子のレプリカ。
【請求項３】
前記福運又は開運又は祈願をまねくとされる文字は、福運、開運、祈願、合格、健康、笑顔、幸福、元気、感謝、必勝、長寿、絆、金運、宮島、交通安全、家内安全、安産、商売繁盛、無災害、厄除けの何れか一つ以上とすることを特徴とする請求項１又は請求項２に記載の宮島杓子のレプリカ。
【考案の詳細な説明】
【技術分野】
【０００１】  本考案は、宮島杓子のレプリカに関するものである。
【背景技術】
【０００２】  宮島杓子の由来：寛政の頃（１８００年頃）、神泉寺の僧・誓真という人が、ある夜、弁財天の夢を見てその琵琶の形の美しい線から杓子を考察し、御山の神木を使って作ることを島の人々に教えました。【０００３】  この神木の杓子で御飯をいただけば、ご神徳を蒙り福運をまねくという誓真上人の高徳とともに、宮島杓子の名声は世に広く宣伝されています。なお現在では、実用品としても優れていたため、その伝統を生かして、各種の調理杓子・お玉杓子として各地に広まっている。
宮島では、飯をよそう杓文字（しゃもじ）を杓子（しゃくし）と呼んでいます。
また日清・日露戦争の時に広島から出征する兵士達が厳島神社に武運と無事の帰還を祈願し、その時に『敵をめしとる（飯取る）』という事でしゃもじを奉納し、また無事に帰還した時に土産として持ち帰った事から、現在のような「幸運をめしとる」縁起物として広まっている。【０００４】  このように宮島杓子は、庭用ご飯しゃもじに、信仰“しゃもじ”に、縁起もの福運ものとして、神社御札の飾り具として等々と、宮島を訪れる多くの参拝者が記念に購入して、いまや全国的に有名になっている。
【考案の開示】
【考案が解決しようとする課題】
【０００５】  そこで、本考案は、信仰“しゃもじ”、縁起もの、開運もの、福運もの等の飾り具等として、誰でも手軽に購入して、携帯電話に、鍵ホルダーに、お財布に、かばん等々にストラップで装着して飾って手元に置き、表示絵による宮島の思い出を大切にすること、及び福運をまねくとされる文字により心が安らかに癒される「宮島杓子のレプリカ」を提供するものである。
【課題を解決するための手段】
【０００６】  本考案は上記目的を達成する新規な宮島杓子のレプリカでありその特徴とするところは次の（１）の通りである。
（１）、しゃもじ本体の正面に宮島の鳥居と鹿と紅葉の組み合わせ表示絵を配置し、背面に福運又は開運をまねくとされる文字又はマグネット（：永久磁石）を配置したことを特徴とする宮島杓子のレプリカ。
（２）、前記しゃもじ本体に鈴付きストラップ又はキーホルダーストラップを連結したことを特徴とする前記（１）に記載の宮島杓子のレプリカ。
（３）、前記福運又は開運又は祈願をまねくとされる文字は、合格、健康、笑顔、幸福、元気、感謝、必勝、長寿、絆、金運、宮島、、交通安全、家内安全、安産、商売繁盛、無災害、厄除け、の何れか一つ以上とすることを特徴とする前記（１）又は（２）に記載の宮島杓子のレプリカ。【０００７】  本考案の宮島杓子のレプリカにおいて、宮島杓子とは、”「日本三大弁天」が神社や寺にまたがり奉納された、弁天様由来のしゃもじを言うが、形状は限定されなく自由である。【０００８】  本考案の宮島杓子のレプリカにおいて、表示絵の鳥居とは、宮島神社の入口に立つ門であり、神様の聖域と人間世界の結界の役目を担っている構築物であるがこの例に限らず、図５に示す鳥居などから適宜選択したデザインのものでもよい。【０００９】  本考案の宮島杓子のレプリカにおいて、表示絵の鹿とは、宮島に生息する鹿のイメージを示すものであればよく具体的なデザインは限定するものでなく自由である。【００１０】  本考案の宮島杓子のレプリカにおいて、表示絵の紅葉とは、宮島に生息する紅葉のイメージを示すものであればよく具体的なデザインは限定するものでなく自由である。【００１１】    本考案の宮島杓子のレプリカにおいて、前記開運又は福運又は祈願をまねくとされる文字とは、健康、幸福、元気、絆、笑顔、感謝、祈願として必勝、合格、長寿、金運、交通安全、家内安全、安産、商売繁盛、無災害、厄除け、宮島の何れか一つ以上とするものである。【００１２】  本考案の宮島杓子のレプリカにおいて、背面に配置するマグネットは、しゃもじ本体の背面に貼着して鉄などの磁性体に磁着して飾るためのものであり、形状は限定されなく自由である。尚マグネットを配置の場合は、福運をまねくとされる文字又はストラップは省略してもよい。【００１３】  本考案の宮島杓子のレプリカにおいて、しゃもじ本体に連結する飾りは、鈴付きストラップ又はキーホルダーである。鈴付きストラップの鈴は、形状や大きさ、材質などは特に限定するものでなく自由である。またキーホルダーは形状や大きさ、材質などは特に限定するものでなく自由である。また鈴付きストラップ又はキーホルダーとしゃもじ本体との連結具は適宜な連結リングでよい。
尚マグネットを配置の場合は、ストラップは省略してもよい。
【考案の効果】
【００１４】  本考案の宮島杓子のレプリカは、前記特徴とする構成により、信仰“しゃもじ”、縁起もの、開運もの、福運もの、祈願もの等の飾り具等として、誰でも手軽に購入して、携帯電話に、鍵ホルダーに、お財布に、かばん等々にストラップで装着して飾って手元に置き、表示絵による宮島の思い出を大切にすること、及び福運や開運や祈願をまねくとされる文字により心が安らかに癒されるものである。
【図面の簡単な説明】
【００１５】
【図１−１】本考案の宮島杓子のレプリカの実施例１であり、しゃもじ本体に鈴付きストラップを連結した正面に表示絵を配置した正面図である。
【図１−２】実施例１の宮島杓子のレプリカの背面に福運、福運、祈願をまねくとされる文字の例を配置した背面図（１）〜（３）である。
【図２−１】本考案の宮島杓子のレプリカの実施例２であり、しゃもじ本体にキーホルダースを連結し正面に表示絵を配置した正面図である。
【図２−２】実施例２の宮島杓子のレプリカの背面に福運、福運、祈願をまねくとされる文字の例を配置した背面図（１）〜（３）である。
【図３】本考案の宮島杓子のレプリカの実施例３であり、しゃもじ本体の正面に表示絵を配置した正面図（１）と背面にマグネットを配置した背面図（２）である。
【考案を実施するための形態】
【００１６】本考案を実施するための形態は、実施例により詳細に説明する。
【実施例１】
【００１７】  図１−１と図１−２に宮島杓子のレプリカの実施例１を示す。
本例は図１−１に示すように、しゃもじ本体１００の正面１０１に、上から日本三景１０２、宮じま１０３の文字、宮島の鳥居１０４と鹿１０５と紅葉１０６の組み合わせ表示絵を配置し、図１−２の（１）〜（３）に示すように背面１１１に上から水引絵１１２、開運１１３と感謝１１４、健康１１５、笑顔１１６の文字を配置し、しゃもじ本体１００の柄部１００Ａの基部にリング２０１を介して連結具２０２を連結した鈴付きストラップ２００を設けたものである。
鈴付きストラップ２００の鈴２０３は、前記リング２０１に回転自在に取り付けてある。
【実施例２】
【００１８】  図２−１と図２−２（１）〜（３）に宮島杓子のレプリカの実施例２を示す。
本例は図２−１に示すように、しゃもじ本体１００の正面１０１に実施例１と同様に上から日本三景１０２、宮じま１０３の文字、宮島の鳥居１０４と鹿１０５と紅葉１０６の組み合わせ表示絵を配置し、図２−２の（１）〜（３）に示すように背面１１１に上から水引絵１１２、開運１１３と感謝１１４、健康１１５、笑顔１１６の文字を配置し、しゃもじ本体１００の柄部１００Ａの基部にリング３０１を介して連結具３０２を連結したキーホルダー３００を設けたものである。
キーホルダー３００はバネ開閉具３０３付きのフック３０４で後部の連結部３０２を前記リング３０１に回転・屈曲自在に取り付けてある。
【実施例３】
【００１９】  図３（１）と（２）に宮島杓子のレプリカの実施例３を示す。
本例は図３（１）に示すように、しゃもじ本体１００の正面１０１に実施例１及び実施例２と同様に上から日本三景１０２、宮じま１０３の文字、宮島の鳥居１０４と鹿１０５と紅葉１０６の組み合わせ表示絵を配置し、図３（２）に示すように背面１１１にマグネット４００を配置したものである。
【産業上の利用可能性】
【００２０】本考案の宮島杓子のレプリカは、前記のように、優れた作用効果があり、宮島参拝者はもとより宮島等の神社信仰業界に貢献すること多大なものがある。
【符号の説明】
【００２１】１００：しゃもじ本体
１００Ａ：柄部
１０１：正面
１０２：日本三景
１０３：宮じま
１０４：宮島の鳥居
１０５：鹿
１０６：紅葉
１１１：背面
１１２：水引絵
１１３：開運
１１４：感謝
１１５：健康
１１６：笑顔
２０１：リング
２０２：連結具
２００：鈴付きストラップ
２０３：鈴
３０１：リング
３０２：連結具
３００：キーホルダー
３０３：バネ開閉具
３０４：フック
４００：マグネット
【図１−１】
0003201017.tif 000003
【図１−２】
0003201017.tif 000004
【図２−１】
0003201017.tif 000005
【図２−２】
0003201017.tif 000006
【図３】
0003201017.tif 000007
【手続補正書】
【提出日】平成27年8月19日(2015.8.19)
【手続補正１】
【補正対象書類名】実用新案登録請求の範囲
【補正対象項目名】全文
【補正方法】変更
【補正の内容】
【実用新案登録請求の範囲】
【請求項１】
しゃもじ本体の正面に宮島の鳥居と鹿と紅葉の組み合わせ表示絵を配置し、背面にマグネットを配置したことを特徴とする宮島杓子のレプリカ。
【請求項２】
しゃもじ本体の正面に宮島の鳥居と鹿と紅葉の組み合わせ表示絵を配置し、背面に福運又は開運をまねくとされる文字を一つ以上配置した宮島杓子のレプリカであって、しゃもじ本体の柄の基部にリングを介して鈴付きストラップ又はキーホルダーを連結したことを特徴とする宮島杓子のレプリカ。
【請求項３】
前記福運又は開運又は祈願をまねくとされる文字は、福運、開運、祈願、合格、健康、笑顔、幸福、元気、感謝、必勝、長寿、絆、金運、宮島、交通安全、家内安全、安産、商売繁盛、無災害、厄除けの何れか一つ以上とすることを特徴とする請求項２に記載の宮島杓子のレプリカ。